(57)【要約】      （修正有）【課題】縮み防止機能を有するボス及びこのボスを備えるプラスチックケースを提供する。【解決手段】縮み防止機能を備えるプラスチックケースは、ケース主体部と、前記ケース主体部の内面に設けられる少なくとも１つのボスと、を備える。前記ボスは、ボス本体部１０１１と、前記ボス本体部とケース主体部との間に設けられた支持部１０１３と、を含み、前記支持部は、前記ボス本体部の長軸方向に対して垂直に設置された載置部１０１４と、前記ケース主体部の内面から上へ垂直に延伸する少なくとも１つの支持アーム１０１５と、を含み、前記支持アームの前記ケース主体部から離れる一端は、前記載置部の下面に垂直に連接され、前記ボス本体部は、前記載置部の上面に連接されて前記載置部により支えられる。【選択図】図２
0003188321.tif 000002
【実用新案登録請求の範囲】
【請求項１】
ケース主体部と、前記ケース主体部の内面に設けられる少なくとも１つのボスと、を備え、前記ボスは、ボス本体部と、前記ボス本体部と前記ケース主体部との間に設けられた支持部と、を含み、前記支持部は、前記ボス本体部の長軸方向に対して垂直に設置された載置部と、前記ケース主体部の内面から上方へ垂直に延伸する少なくとも１つの支持アームと、を含み、
前記支持アームの前記ケース主体部から離れる一端は、前記載置部の下面に垂直に連接され、前記ボス本体部は、前記載置部の上面に連接されて前記載置部により支えられることを特徴とする縮み防止機能を備えるプラスチックケース。
【請求項２】
前記支持アームは、互いに平行する２つの平板体であり、前記載置部は、２つの前記支持アームの上端に配置される平板体であることを特徴とする請求項１に記載の縮み防止機能を備えるプラスチックケース。
【請求項３】
前記支持アームは、互いに交差して「十」字状を呈する２つの平板体であり、且つ前記ケース主体部の内面からそれぞれ上方へ垂直に延伸することを特徴とする請求項１に記載の縮み防止機能を備えるプラスチックケース。
【請求項４】
前記ボスは、前記ボス本体部の外壁を取り囲むように間隔をあけて設けられた複数の補強用リブをさらに備え、前記補強用リブの一端は前記支持部と連接し、前記補強用リブの他端は前記ボス本体部の前記ケース主体部から離れる自由端まで延在していることを特徴とする請求項１に記載の縮み防止機能を備えるプラスチックケース。
【請求項５】
前記補強用リブの幅は、前記ボス本体部の前記ケース主体部から離れる自由端から前記支持部に向かって次第に広くなることを特徴とする請求項４に記載の縮み防止機能を備えるプラスチックケース。
【請求項６】
前記ボスの前記支持部は、複数の支持部が互いに積層して形成され、各支持部は、前記ボス本体部の長軸方向に対して垂直に設置される載置部と、少なくとも１つの支持アームと、を含み、上階に位置する支持部の支持アームは、下階の支持部の載置部の頂面に垂直に連接されることを特徴とする請求項１に記載の縮み防止機能を備えるプラスチックケース。
【考案の詳細な説明】
【技術分野】
【０００１】
本考案は、プラスチック部品に関し、特に縮み防止機能を有するボスを備えるプラスチックケースに関するものである。
【背景技術】
【０００２】
従来のプラスチック製のハウジングは、一般的に２つのプラスチックケースを向き合うように係合させることで形成されている。さらに、前記２つのケースの間には、各種の構造部品及び電子部品を収容できるキャビティが形成されている。通常、１つのプラスチックケースの内面に、もう１つのプラスチックケースに当止される複数のボスを設ける。これらのボスは、主にナットを収容し、他方側のプラスチックケースを支持する役割を果たしている。
【０００３】
プラスチック製品の２つのケースの間に形成されたキャビティがより深い場合、前記ボスの高さを高くしなければならない。つまり、前記ボスの高さは、前記１つのプラスチックケースの深さに等しい。複数の前記ボスは、射出成形法により前記１つのプラスチックケースと一体に成形される。
【０００４】
また、前記ボスを金型から容易に取り出すことができるよう、前記ボスの外面に一定のダイヤル型勾配角度（ｄｒａｆｔ  ａｎｇｌｅ）を設ける必要がある。つまり、前記ボスの自由端の直径を、前記ボスの他端の直径より小さくする。これにより、ボスの内径、ボスの自由端の外径及び前記ダイヤル型勾配が変わらない前提下で、ボスの高さが高いほど、ボスのケースに近い一端であるボスの根底部の外径は大きく、ボスの根底部の壁の厚さは厚くなり、ひいてはプラスチックケースの平均厚さより大きい。しかし、ボスの根底部の厚さが大き過ぎることに起因して、射出成形の時にボスの根底部の表面が縮まるという問題が発生する。
【考案の概要】
【考案が解決しようとする課題】
【０００５】
そこで、本考案は上記の問題点を考慮した上で、縮み防止機能を有するボス及びこのボスを備えるプラスチックケースを提供することを目的とする。
【課題を解決するための手段】
【０００６】
上記の目的を達成するために、本考案に係る縮み防止機能を備えるプラスチックケースは、ケース主体部と、前記ケース主体部の内面に設けられる少なくとも１つのボスと、を備える。前記ボスは、ボス本体部と、前記ボス本体部とケース主体部との間に設けられた支持部と、を含み、前記支持部は、前記ボス本体部の長軸方向に対して垂直に設置された載置部と、前記ケース主体部の内面から上方へ垂直に延伸する少なくとも１つの支持アームと、を含み、前記支持アームの前記ケース主体部から離れる一端は、前記載置部の下面に垂直に連接され、前記ボス本体部は、前記載置部の上面に連接されて前記載置部により支えられる。
【考案の効果】
【０００７】
従来の技術と異なり、本考案は、ボス本体部とプラスチックケースとの間に支持部を設置することにより、ボス全体の高さを低くして、ボス本体部のプラスチックケースに近い一端の壁の厚さを薄くすることができる。これにより、ボス本体部のプラスチックケースに近い一端が厚すぎることに起因する縮みを効果的に防止することができる。
【図面の簡単な説明】
【０００８】
【図１】本考案の第一実施形態に係る縮み防止機能を有するボスを備えるプラスチックケースの構造を示す図である。
【図２】図１に示した縮み防止機能を有するボスの拡大図である。
【図３】本考案の第二実施形態に係る縮み防止機能を有するボスを備えるプラスチックケースの構造を示す図である。
【図４】図３に示した縮み防止機能を有するボスの拡大図である。
【考案を実施するための形態】
【０００９】
図１に示すように、本考案の第一実施形態に係るプラスチックケース１０は、ケース主体部１０２を備える。ケース主体部１０２の内面には、ケース主体部１０２の外面側へ凹んで形成された収容凹部１０３を有する。収容凹部１０３は、他方側のプラスチックケース（図示せず）と協働して、各種の機構部材及び電子部品を収容するためのキャビティを形成する。また、ケース主体部１０２は、その内面に設けられた少なくとも１つのボス１０１をさらに備える。ボス１０１は、プラスチックからなり、射出成形によりプラスチックケース１０と一体に成形される。
【００１０】
図２に示すように、ボス１０１は、ボス本体部１０１１を有する。ボス本体部１０１１のケース主体部１０２から離れた一端の端面には、ねじ穴を形成するための穴１０１６が設けられている。穴１０１６の口径のサイズは、ケース主体部１０２から離れた一端からケース主体部１０２に近接する一端まで変わらない。また、穴１０１６にナット（図示せず）を収容することによってねじ穴が形成される。また、ボス１０１は、ボス本体部１０１１の外壁を取り囲むように間隔をあけて設けられた複数の補強用リブ１０１２と、ボス本体部１０１１とケース主体部１０２との間に位置し且つボス本体部１０１１とケース主体部１０２とにそれぞれ連接される支持部１０１３と、をさらに備える。補強用リブ１０１２の一端は支持部１０１３に連接し、補強用リブ１０１２の他端はボス本体部１０１１の自由端に近接する位置まで延在している。
【００１１】
型開きする時に、ボス１０１は突出したような形状である。つまり、ボス本体部１０１１の外径は、支持部１０１３に連接する一端から、支持部１０１３から離れる他端に向かって次第に小さくなり、抜き勾配を形成している。
【００１２】
一般的には、ボス本体部１０１１の内径、ボス本体部１０１１のケース主体部１０２から離れる一端の直径及びダイヤル型勾配が変わらない前提下で、ボス本体部１０１１の高さが高いほど、ボス本体部１０１１のケース主体部１０２に近い一端（以下、ボス本体部１０１１の根底部と略称する）の外径は大きくなる。この時、ボス本体部１０１１の根底部の壁の厚さは厚くなり、ひいてはケース主体部１０２の平均厚さよりも厚い。ボス本体部１０１１の根底部の壁の厚さが他の部位の厚さより厚い場合、前記根底部は射出成形の時にその表面が縮まる現象が度々発生する。
【００１３】
従って、本考案において、抜き勾配が変わらない前提下で、ボス本体部１０１１の根底部表面の縮みを防止するために、ボス本体部１０１１の高さを低くすることにより、ボス本体部１０１１の根底部の壁の厚さを薄くして、前記根底部の壁の厚さをケース主体部１０２の平均厚さより小さくする或いは等しくしなければならない。具体的には、本考案は、ボス本体部１０１１とケース主体部１０２との間に、ボス本体部１０１１に対して垂直に連接する支持部１０１３を設けて、ボス本体部１０１１の高さを低くするとともに、ボス１０１全体の高さを維持する。支持部１０１３は、ボス本体部１０１１の前記根底部に替わってケース主体部１０２と連接し、且つボス本体部１０１１を支える。これにより、ボス１０１全体の高さを維持したまま、ボス本体部１０１１の高さを低くすることができる。
【００１４】
支持部１０１３は、略「冂」状の板体であり、載置部１０１４と、少なくとも１つの支持アーム１０１５と、を備える。本実施形態において、支持アーム１０１５は２つであり、ケース主体部１０２の内面から互いに平行して且つ上方へケース主体部１０２に対して垂直にそれぞれ延在し、載置部１０１４の内面の両端に対してそれぞれ垂直に連接されて、載置部１０１４を支えている。ボス本体部１０１１は、載置部１０１４の外面から垂直に突出する。
【００１５】
本実施形態において、補強用リブ１０１２の数は四つである。各補強用リブ１０１２の幅は、載置部１０１４の上面からボス本体部１０１１のケース主体部１０２から離れる一端に向かって次第に狭くなっている。
【００１６】
また、変形例として、支持アーム１０１５は、２つの互いに交差する「十」字状の板体であっても良い。或いは、支持アーム１０１５は、ケース主体部１０２の内面から突出する１つ或いは複数の柱体であっても良い。
【００１７】
上記の第一実施形態によると、支持部１０１３の支持アーム１０１５は、ケース主体部１０２の内面に設けられた１つ或いは複数の平板体或いは柱体等であり、その厚さは均一であり、且つケース主体部１０２の厚さにほぼ等しいので、ボス本体部１０１１の内径、抜き勾配及びボス本体部１０１１のケース主体部１０２から離れる一端の直径が変わらない前提下で、ボス本体部１０１１の高さは低くなり、ボス本体部１０１１のケース主体部１０２に近い一端の壁の厚さは、ケース主体部１０２の平均の厚さに一致するほど小さくなる。これにより、ボス本体部１０１１の壁の厚さは均一であるため、ボス本体部１０１１におけるその表面は縮みが出ない。
【００１８】
図３及び図４に示すように、本考案の第二実施形態において、プラスチックケース１０に形成されている収容凹部１０３がより深い場合、ボス１０１の支持部１０４は、複数の支持部１０１３が互いに積層して構成される。具体的には、上階に位置する支持部１０１３の支持アーム１０１５は、下階の支持部１０１３の載置部１０１４の頂面に垂直に連接される。このようにして、複数の支持部１０１３は、互いに積層して、１つの高い支持部１０４を形成する。
【００１９】
以上、本考案の好適な実施形態について詳細に説明したが、本考案は前記実施形態に限定されるものではなく、本考案の範囲内で種々の変形又は修正が可能であり、該変形又は修正も又、本考案の実用新案登録請求の範囲内に含まれるものであることは、言うまでもない。
【符号の説明】
【００２０】
１０        プラスチックケース
１０１      ボス
１０１１    ボス本体部
１０１２    補強用リブ
１０１３    支持部
１０１４    載置部
１０１５    支持アーム
１０１６    穴
１０２      ケース主体部
１０３      収容凹部
１０４      支持部
【図１】
0003188321.tif 000003
【図２】
0003188321.tif 000004
【図３】
0003188321.tif 000005
【図４】
0003188321.tif 000006